(57)【要約】【課題】本発明は、例えばディジタルラジオ放送等を受信可能な携帯電話に適用して、従来に比して簡易な構成により、機械的強度、デザイン的に優れ、さらには性能を向上したアンテナ、このアンテナを使用した受信装置を提案する。【解決手段】本発明は、本体装置４側から途中まで被覆線３３により芯線側ケーブルＬＬ、ＬＲ、ＬＧ、２６をシールドし、この被覆線ＳＳの本体装置４側端をチューナ１３Ｈ、１３Ｌに接続する。【選択図】        図１
2008236113.tif 000002
【特許請求の範囲】
【請求項１】
本体装置における信号又は電力を伝送する芯線側ケーブルと、
前記芯線側ケーブルの前記本体装置側端から前記本体装置側端とは逆側端の途中までの間、前記芯線側ケーブルを被覆して前記芯線側ケーブルをシールドする被覆線と、
前記芯線側ケーブルの前記本体装置側端に設けられ、前記芯線側ケーブルからの前記本体装置への高周波信号の侵入を遮断する第１の高周波遮断回路と、
前記被覆線の前記本体装置側端に接続されて、前記被覆線の長さに対応する第１の周波数帯域の放送波と、前記芯線側ケーブルの長さに対応する第２の周波数帯域の放送波とを受信するチューナ部とを備える
ことを特徴とする受信装置。
【請求項２】
前記芯線側ケーブルの前記本体装置側端とは逆側端にスピーカが設けられ、
前記芯線側ケーブルが、前記スピーカを駆動するオーディオ信号を伝送する
ことを特徴とする請求項１に記載の受信装置。
【請求項３】
前記被覆線の前記スピーカ側端に前記芯線側ケーブルを中継するジャック及びプラグが設けられた
ことを特徴とする請求項２に記載の受信装置。
【請求項４】
前記芯線側ケーブルのアース用ケーブルと前記被覆線とが、前記本体装置側端で高周波信号を遮断する第２の高周波遮断回路で接続された
ことを特徴とする請求項２に記載の受信装置。
【請求項５】
前記被覆線の長さが、前記第１の周波数帯域の放送波の波長の略１／４に設定された
ことを特徴とする請求項１に記載の受信装置。
【請求項６】
前記芯線側ケーブルの長さが、前記第２の周波数帯域の放送波の波長の略１／４に設定された
ことを特徴とする請求項１に記載の受信装置。
【請求項７】
前記第１の周波数帯域の放送波が、ディジタルラジオ放送又はディジタルテレビジョン放送の放送波である
ことを特徴とする請求項１に記載の受信装置。
【請求項８】
第１及び第２の周波数帯域の放送波を受信する受信装置に接続されるアンテナであって、
前記受信装置における信号又は電力を伝送する芯線側ケーブルと、
前記芯線側ケーブルの前記受信装置側端から前記受信装置側端とは逆側端の途中までの間、前記芯線側ケーブルを被覆して前記芯線側ケーブルをシールドする被覆線とを備え、
前記被覆線が前記第１の周波数帯域の放送波を受信する第１のアンテナ部として機能し、前記芯線側ケーブルが前記第２の周波数帯域の放送波を受信する第２のアンテナ部として機能する
ことを特徴とするアンテナ。
【発明の詳細な説明】
【技術分野】
【０００１】
本発明は、受信装置及びアンテナに関し、例えばディジタルラジオ放送等を受信可能な携帯電話に適用することができる。本発明は、本体装置側から途中まで被覆線により芯線側ケーブルをシールドし、この被覆線の本体装置側端をチューナに接続することにより、従来に比して簡易な構成により、機械的強度、デザイン的に優れ、さらには性能を向上したアンテナ、このアンテナを使用した受信装置を提案する。
【背景技術】
【０００２】
従来、携帯型の受信装置では、アンテナに関して種々の工夫が図られている。すなわちこの種のアンテナには、装置のデザインを損なわないようにする、人体への影響を防止する、機器から放射されるノイズによる影響を受け難くする等が望まれる。
【０００３】
これらのうちのデザインに関して、受信装置は、従来、アンテナを内蔵型にしてデザインを損なわないようにする工夫が施されているものの、受信周波数が低い場合には、アンテナが大型化し、内蔵することが困難になる。そこで従来、受信周波数が低い場合、受信装置は、主にロッドアンテナを使用している。しかしながらロッドアンテナを使用する場合、構成が複雑化し、ロッドアンテナが飛び出してデザインを損なう等の欠点がある。
【０００４】
このため近年、イヤホンケーブルをアンテナとして使用する方法が種々に提案されている。しかしながら、単にイヤホンケーブルをアンテナとして使用する場合、イヤホンケーブルが人体に触れ、さらに人体に触れる箇所が種々に変化し、これによりアンテナとしての機能を十分に発揮できない。
【０００５】
そこで従来、例えば特開２００５−６４７４２号公報等にイヤホンケーブルをアンテナとして使用する場合、人体に触れる部分をアンテナとして機能させないようにする種々の工夫が提案されている。
【０００６】
しかしながらこれらの方法では、アンテナとして機能させない部分と、アンテナとして機能させる部分の接続部分に、特定部位への高周波信号の流入を遮断する高周波遮断素子を設けることが必要であり、これによりこの接続部分の構成が煩雑になり、さらにはこの接続部分で機械的強度が劣化する問題がある。またデザインが制約される問題もある。またさらに接続部分に高周波遮断素子を設けても、結局、特定部位における高周波信号の流れを完全には阻止することが困難であり、これにより性能の面で実用上未だ不十分な問題もある。
【特許文献１】特開２００５−６４７４２号公報
【発明の開示】
【発明が解決しようとする課題】
【０００７】
本発明は以上の点を考慮してなされたもので、これらの問題点を一挙に解決して、従来に比して簡易な構成により、機械的強度、デザイン的に優れ、さらには性能を向上したアンテナ、このアンテナを使用した受信装置を提案しようとするものである。
【課題を解決するための手段】
【０００８】
上記の課題を解決するため請求項１の発明は、受信装置に適用して、本体装置における信号又は電力を伝送する芯線側ケーブルと、前記芯線側ケーブルの前記本体装置側端から前記本体装置側端とは逆側端の途中までの間、前記芯線側ケーブルを被覆して前記芯線側ケーブルをシールドする被覆線と、前記芯線側ケーブルの前記本体装置側端に設けられ、前記芯線側ケーブルからの前記本体装置への高周波信号の侵入を遮断する第１の高周波遮断回路と、前記被覆線の前記本体装置側端に接続されて、前記被覆線の長さに対応する第１の周波数帯域の放送波と、前記芯線側ケーブルの長さに対応する第２の周波数帯域の放送波とを受信するチューナ部とを備えるようにする。
【０００９】
また請求項８の発明は、第１及び第２の周波数帯域の放送波を受信する受信装置に接続されるアンテナに適用して、前記受信装置における信号又は電力を伝送する芯線側ケーブルと、前記芯線側ケーブルの前記受信装置側端から前記受信装置側端とは逆側端の途中までの間、前記芯線側ケーブルを被覆して前記芯線側ケーブルをシールドする被覆線とを備え、前記被覆線が前記第１の周波数帯域の放送波を受信する第１のアンテナ部として機能し、前記芯線側ケーブルが前記第２の周波数帯域の放送波を受信する第２のアンテナ部として機能する。
【００１０】
請求項１又は請求項８の構成によれば、被覆線が芯線側ケーブルを被覆してシールドしていることから、高周波信号における被覆線と芯線側ケーブルとのアイソレーションを十分に確保することができる。従って被覆線のみをアンテナとして機能させることができる。このとき装置の根元部分が給電点に設定されて、被覆線が芯線側ケーブルの途中までしか設けられていないことにより、被覆線よりも延長する芯線側ケーブルが人体に接触する場合でも、被覆線については、人体に接触しないようにすることができ、これにより性能を向上することができる。また本体装置とは逆側の被覆線の端部には高周波遮断回路を設ける必要が無く、これにより従来に比して構成を簡略化し、機械的強度を増大し、さらにはデザイン的に優れたものとすることができる。また第２の周波数帯域では、芯線側ケーブルと被覆線との結合により電気長を増大させて性能を向上することができる。
【発明の効果】
【００１１】
本発明によれば、従来に比して簡易な構成により、機械的強度、デザイン的に優れ、さらには性能を向上したアンテナ、このアンテナを使用した受信装置を得ることができる。
【発明を実施するための最良の形態】
【００１２】
以下、適宜図面を参照しながら本発明の実施例を詳述する。
【実施例１】
【００１３】
（１）実施例の構成
図１は、本発明の実施例１の受信装置である携帯電話を部分的に示すブロック図であり、図２は、この携帯電話の斜視図である。この携帯電話１は、ラジオ放送の受信機能を有する携帯電話であり、中継ケーブル２を介してイヤホン３を本体装置４に接続することにより、これら中継ケーブル２、イヤホン３をアンテナとして使用してラジオ放送を受信する。
【００１４】
このため中継ケーブル２は、本体装置４に接続するプラグ５とイヤホン３のプラグ６を接続するジャック７とが両端に設けられ、また本体装置４には、中継ケーブル２のプラグ５を接続するジャック８が設けられる。
【００１５】
ここで本体装置４において、増幅回路１０Ｌ、１０Ｒは、左チャンネル及び右チャンネルのオーディオ信号ＳＡＬ及びＳＡＲをそれぞれ増幅してジャック８に出力する。高周波遮断回路１１Ｌ、１１Ｒは、増幅回路１０Ｌ、１０Ｒとジャック８との間にそれぞれ設けられ、ジャック８から本体装置４への高周波信号の侵入を防止する。なおこの実施例において、高周波遮断回路１１Ｌ、１１Ｒは、増幅回路１０Ｌ及び１０Ｒの出力ラインにフェライトビーズを配置したインダクタにより構成されるものの、例えば種々のローパスフィルタを広く適用することができる。
【００１６】
コントローラ１２は、この携帯電話１全体の動作を制御するコントローラであり、ジャック８に設けられた２つのプラグ検出端子間の電位差を検出することにより、中継ケーブル２の接続を検出し、検出結果に基づいて各部の動作を制御する。
【００１７】
ハイバンドチューナ１３Ｈは、周波数１９０〔ＭＨｚ〕帯の放送波であるディジタルラジオ放送を受信する。ローバンドチューナ１３Ｌは、周波数７０〜１１０〔ＭＨｚ〕の放送波であるＦＭ放送、ローバンドのテレビジョン放送による音声を受信する。コントローラ１２は、ユーザーの操作に応動してこれらハイバンドチューナ１３Ｈ、ローバンドチューナ１３Ｌの動作を切り換え、選択回路１３を介してこれらハイバンドチューナ１３Ｈ、ローバンドチューナ１３Ｌのアンテナ入力端を選択的にジャック８に接続する。
【００１８】
これに対して中継ケーブル２は、図３に断面を取って示すように、３芯の多芯シールドケーブルが用いられ、３本の芯線ケーブルＬＬ、ＬＲ、ＬＧとこれら３本の芯線ケーブルＬＬ、ＬＲ、ＬＧを同軸形状により被覆してシールドする被覆線ＳＳとを有し、３本の芯線ケーブルＬＬ、ＬＲ、ＬＧがオーディオ信号の伝送に割り当てられる。なおここでこれら３本の芯線ケーブルＬＬ、ＬＲ、ＬＧは、密接して配置され、被覆線ＳＳは、断面におけるこれら３本の芯線ケーブルＬＬ、ＬＲ、ＬＧの中央が中心に設定された円形形状により配置されて同軸形状により芯線ケーブルＬＬ、ＬＲ、ＬＧを被覆する。
【００１９】
中継ケーブル２において、これら３本の芯線ケーブルＬＬ、ＬＲ、ＬＧのうちの、１本の芯線ケーブルＬＧは、アースラインに割り当てられ、プラグ５、ジャック８を介して、本体装置４側端が本体装置４のグランドに接続される。なおこのアースラインの芯線ケーブルＬＧは、フェライトビーズによる高周波遮断回路２１を介してプラグ５に接続される。なおこの高周波遮断回路２１にも、フェライトビーズによるインダクタに代えて、例えば種々のローパスフィルタを広く適用することができる。さらにアースラインの芯線ケーブルＬＧは、高周波遮断回路２１の本体装置４側端がジャック８に設けられた２つのプラグ検出端子に接続される。
【００２０】
残りの２本の芯線ケーブルＬＬ、ＬＲは、プラグ５、ジャック８、高周波遮断回路１１Ｌ、１１Ｒを順次介して本体装置４側端が増幅回路１０Ｌ、１０Ｒに接続される。
【００２１】
被覆線ＳＳは、いわゆる網線により形成され、プラグ５、ジャック８を介して、本体装置４側端が本体装置４の選択回路１３に接続される。また被覆線ＳＳは、プラグ５の根元部分で、フェライトビーズによる高周波遮断回路２２を介してグランドの芯線ケーブルＬＧに接続される。なおこの高周波遮断回路２２にも、フェライトビーズによるインダクタに代えて、例えば種々のローパスフィルタを広く適用することができる。
【００２２】
中継ケーブル２は、高周波遮断回路２１、２２、プラグ５、芯線ケーブルＬＬ、ＬＲ、ＬＧ、被覆線ＳＳが基板２４に実装され、この基板２４に設けられた配線パターンにより接続される。
【００２３】
これに対して中継ケーブル２は、本体装置４とは逆側端において、３本の芯線ケーブルＬＬ、ＬＲ、ＬＧがジャック７に接続される。これに対して被覆線ＳＳは、何れの部位にも接続されないで、単に、網線が解けないように網線を構成するマグネットワイヤが相互に半田付けされて保持される。中継ケーブル２は、被覆線ＳＳの長さＬ１が、ハイバンドチューナ１３Ｈが受信する周波数帯域の特定の放送波の略１／４波長の長さである４３０〔ｍｍ〕に設定される。中継ケーブル２は、半田付けした被覆線ＳＳの部位、基板２４を覆い隠すように、ジャック７、プラグ５が樹脂によりモールディングされて形成される。
【００２４】
これに対してイヤホン３は、所定の長さによるケーブル２６の一端がジャック７に接続され、このケーブル２６の他端がスピーカ２５Ｌ、２５Ｒに接続される。イヤホン３は、プラグ５側からスピーカ２５Ｌまでの長さＬ２が、ローバンドチューナ１３Ｌが受信する周波数帯域の特定の放送波の略１／４波長の長さである１２００〔ｍｍ〕に設定される。なおイヤホン３にあっても、プラグ６におけるケーブルの接続部分を覆い隠すように樹脂によりモールディングされて形成される。なお以下において、プラグ６及びジャック７で接続される芯線ケーブルＬＬ、ＬＲ、ＬＧとイヤホン３のケーブル２６とを適宜、芯線側ケーブルと呼ぶ。
【００２５】
（２）実施例の動作
以上の構成において、この携帯電話１では、ユーザーの操作に応動してハイバンドチューナ１３Ｈ又はローバンドチューナ１３Ｌが動作を立ち上げ、ハイバンドチューナ１３Ｈ又はローバンドチューナ１３Ｌのアンテナ入力端が選択回路１３を介して中継ケーブル２に接続される。携帯電話１では、この中継ケーブル２、若しくは中継ケーブル２及び中継ケーブル２に接続されたイヤホン３のケーブル２６がアンテナとして機能し、これによりハイバンドチューナ１３Ｈ又はローバンドチューナ１３Ｌで所望の放送波を受信し、オーディオ信号ＳＡＬ、ＳＡＲが再生される。また携帯電話１では、このオーディオ信号ＳＡＬ、ＳＡＲが増幅回路１０Ｌ、１０Ｒで増幅されて中継ケーブル２に出力されてスピーカ２５Ｌ、２５Ｒが駆動され、ハイバンドチューナ１３Ｈ又はローバンドチューナ１３Ｌで受信した放送波の音声がユーザーに提供される。これによりこの携帯電話１では、イヤホン３を介して放送による種々のコンテンツを楽しむことができる。
【００２６】
この携帯電話１では、このオーディオ信号ＳＡＬ、ＳＡＲのスピーカ２５Ｌ、２５Ｒへの出力が、高周波遮断回路１１Ｌ、１１Ｒ、中継ケーブル２の芯線ケーブルＬＬ、ＬＲ、ＬＧ、イヤホン３のケーブルを順次介して実行され、これらのうちの高周波遮断回路１１Ｌ、１１Ｒが本体装置４の根元部分に設けられて、イヤホン３のケーブル２６等に誘起された高周波信号の本体装置４側への侵入が阻止され、これにより増幅回路１０Ｌ、１０Ｒ等を安定に動作させて各種のコンテンツを楽しむことができる。
【００２７】
携帯電話１では、ハイバンドチューナ１３Ｈ又はローバンドチューナ１３Ｌのアンテナ入力端が選択回路１３を介して芯線ケーブルＬＬ、ＬＲ、ＬＧを同軸形状により被覆してシールドする中継ケーブル２の被覆線ＳＳに接続され、これにより被覆線ＳＳに誘起される高周波信号によりハイバンドチューナ１３Ｈ又はローバンドチューナ１３Ｌが放送波を受信することになる。
【００２８】
ここで被覆線ＳＳは、本体装置４側の端部で高周波遮断回路２２を介してアースラインの芯線ケーブルＬＧに接続され、芯線ケーブルＬＬ、ＬＲ、ＬＧ及びイヤホン３のケーブル２６による芯線側ケーブルの途中まで延長し、何れの部位にも接続されることなく、いわゆる開放端とされていることにより、本体装置４の根元部分が給電点に設定されたモノポールアンテナとして機能することになる。これにより図４に示すように、被覆線ＳＳよりも延長する芯線側ケーブルであるイヤホン３のケーブル２６が人体に接触する場合でも、被覆線ＳＳについては、人体に接触しないようにすることができ、これによりこの被覆線ＳＳによる周波数帯域の放送波については、人体による影響を低減し、従来に比して性能を向上することができる。
【００２９】
なお携帯電話１では、芯線ケーブルＬＬ、ＬＲ、ＬＧを被覆してシールドしていることから、イヤホン３のケーブル２６に誘起される高周波信号が、芯線ケーブルＬＬ、ＬＲ、ＬＧと被覆線ＳＳとの容量結合により被覆線ＳＳに流入し、これによりイヤホン３のケーブル２６もアンテナとして機能し、人体の接触による各種の悪影響が発生することも予測される。しかしながら同軸形状により被覆線ＳＳが芯線ケーブルＬＬ、ＬＲ、ＬＧを被覆してシールドしていることから、高周波信号において、被覆線ＳＳ及び芯線ケーブルＬＬ、ＬＲ、ＬＧのアイソレーションを十分に確保して、被覆線ＳＳのみアンテナとして機能させることができる。
【００３０】
すなわち芯線ケーブルＬＬ、ＬＲ、ＬＧ及び被覆線ＳＳに代えて、イヤホン３のケーブル２６等に使用されるいわゆるリッツ線等の平行線を使用すると、ジャック７に対応する箇所に高周波遮断回路を設けて高周波信号を遮断しても、このジャック７に至るまでの線路間で高周波的な結合が発生し、オーディオ信号を伝送する伝送路もアンテナとして機能してしまう。従ってこの場合、このイヤホン側のケーブル２６が人体に接触してアンテナの性能が劣化する。しかしながらこの実施例によれば、人体による影響を低減し、従来に比して性能を向上できることが判った。
【００３１】
また被覆線ＳＳのイヤホン３側端にあっては、何ら高周波遮断回路等を設けなくても、人体による悪影響を防止できることにより、従来に比して構成を簡略化し、機械的強度を増大し、さらにはデザイン的に優れたものとすることができる。また十分にアイソレーションを確保できることにより、イヤホン３のケーブル２６等に誘起される高周波信号の混入を防止して性能を向上することができる。
【００３２】
またこの実施例では、この被覆線ＳＳの長さＬ１が、ハイバンドチューナ１３Ｈの周波数帯域の特定放送波の略１／４波長の長さに設定されていることにより、ハイバンドチューナ１３Ｈの周波数帯域において、被覆線ＳＳには、効率良く高周波信号が誘起されてハイバンドチューナ１３Ｈに入力され、これによりアンテナとしての性能を一段と向上することができる。
【００３３】
特にこの実施例では、このハイバンドチューナ１３Ｈがディジタルラジオ放送の放送波を受信し、このディジタルラジオ放送の周波数帯域は、人体の接触によりアンテナの特性劣化が激しい周波数帯域であることから、この実施例のように、このハイバンドチューナ１３Ｈの周波数帯域において、被覆線ＳＳをアンテナとして機能させるようにすれば、従来に比して格段的に高性能のアンテナを得ることができる。
【００３４】
また芯線ケーブルＬＬ、ＬＲ、ＬＧ及びイヤホン３のケーブル２６による芯線側ケーブルがこの被覆線ＳＳの長さＬ１の２倍以上の長さに設定されていることによっても、ハイバンドチューナ１３Ｈの周波数帯域では、芯線側ケーブルをアンテナとして機能させないようにすることができ、これによってもイヤホン３のケーブル２６への人体の接触による各種の悪影響を低減してアンテナとしての性能を向上することができる。
【００３５】
これに対してローバンドチューナ１３Ｌで放送波を受信する場合、携帯電話１では、被覆線ＳＳと芯線ケーブルＬＬ、ＬＲ、ＬＧとの結合により、被覆線ＳＳによるアンテナの電気長がイヤホン３のケーブル２６の分だけ増大し、これにより被覆線ＳＳとイヤホン３のケーブル２６とがアンテナとして機能することになる。従って携帯電話１では、電気長が長くなった分、アンテナ利得が増大し、性能を向上することができる。
【００３６】
またこの場合もこの実施例では、これら芯線ケーブルＬＬ、ＬＲ、ＬＧ、イヤホン３のケーブル２６がこのローバンドチューナ１３Ｌで放送波の波長の１／４に設定されていることにより、これら被覆線ＳＳ、イヤホン３のケーブル２６で効率良く高周波信号を誘起してローバンドチューナ１３Ｌに入力することができ、これによっても性能を向上することができる。
【００３７】
またこのローバンドチューナ１３Ｌが受け持つ周波数帯域では、比較的、人体の接触によるアンテナの性能劣化が小さい特徴がある。これによりこの実施例では、受信可能な全周波数帯域において、被覆線ＳＳによるアンテナが受け持つ周波数帯域と芯線側ケーブルによるアンテナが受け持つ周波数帯域とを、人体への接触による影響の大小により適切に振り分け、受信可能な周波数帯域全体で見たときの性能を従来に比して向上させることができる。
【００３８】
具体的に、図５は、この実施例の中継ケーブル２及びイヤホン３によるアンテナの利得を示す特性曲線図である。ここで符号ＬＶ及びＬＨは、それぞれ垂直偏波及び水平偏波の測定結果であり、図６及び図７は、それぞれ垂直偏波及び水平偏波の測定結果を示す図表である。
【００３９】
これに対して図８〜図１０は、図５〜図７との対比により従来のアンテナによる測定結果を示す図である。これら図８〜図１０によれば、ローバンドチューナ１３Ｌが受け持つ周波数７０〜１００〔ＭＨｚ〕では、この実施例と従来例とで、それ程差が無いものの、ディジタルラジオ放送の周波数帯域である周波数１９０〔ＭＨｚ〕帯では、従来に比して１０〔ｄＢ〕程度、利得が増大して性能が向上していることが判る。
【００４０】
なお図１１〜図１３は、図５〜図７との対比によりイヤホン３を取り外した状態での特性を示す図である。この図１１〜図１３によれば、イヤホンを取り外した状態では、電気長が短くなる分、若干、ローバンドチューナ１３Ｌが受け持つ周波数帯域で利得が低下するもの、受信可能な周波数帯域を全体的に見た場合には、従来に比して性能が向上していることが判る。
【００４１】
（３）実施例の効果
以上の構成によれば、本体装置側から途中まで被覆線により芯線側ケーブルをシールドし、この被覆線の本体装置側端をチューナに接続することにより、従来に比して簡易な構成により、機械的強度、デザイン的に優れ、さらには性能を向上したアンテナ、このアンテナを使用した受信装置を得ることができる。
【００４２】
またこの芯線側ケーブルによりオーディオ信号を伝送してスピーカを駆動することにより、イヤホンをアンテナとして使用して、別途アンテナを設けることによるデザインの劣化等を防止することができる。
【００４３】
また被覆線のスピーカ側端にジャック及びプラグを設けてイヤホンを取り外し可能とすることにより、必要に応じて中継ケーブルのみをアンテナとして使用することもできる。
【００４４】
また被覆線の長さが、ハイバンドチューナが受け持つ放送波の波長の略１／４に設定されていることにより、また芯線側ケーブルの長さが、ローバンドチューナが受け持つ放送波の波長の略１／４に設定されていることにより、これらの放送波を効率良く受信して対応するチューナに伝送して性能を向上することができる。
【００４５】
またこのハイバンドチューナが受け持つ放送波が、ディジタルラジオ放送の放送波であることにより、人体への接触による影響を受け易い周波数帯域で、人体への接触による影響を受けないようにすることができ、受信装置全体としての性能を向上することができる。
【実施例２】
【００４６】
図１４は、図１との対比により本発明の実施例２の携帯電話を示すブロック図である。この携帯電話４１は、高周波遮断回路２２が省略されて、アンテナとオーディオ信号とでアース端子を共用しない点を除いて、実施例１の携帯電話１と同一に構成される。
【００４７】
この実施例では、高周波遮断回路２２を省略した分、全体構成を一段と簡略化して実施例１と同様の効果を得ることができる。
【実施例３】
【００４８】
なお上述の実施例においては、芯線ケーブルの高周波遮断回路を本体装置側に設ける場合について述べたが、中断ケーブル側に設けるようにしてもよい。
【００４９】
また上述の実施例においては、プラグ及びジャックにより着脱可能にイヤホンを中継ケーブルに接続する場合について述べたが、本発明はこれに限らず、必要に応じてイヤホン及び中継ケーブルを一体化するようにしてもよい。
【００５０】
また上述の実施例においては、本体装置に着脱可能に中継ケーブルを接続する場合について述べたが、本発明はこれに限らず、必要に応じて本体装置から取り外すことができないように中継ケーブルを設けるようにしてもよい。
【００５１】
また上述の実施例においては、中継ケーブル側でディジタルラジオ放送を受信する場合について述べたが、本発明はこれに限らず、これに代えてディジタルテレビジョン放送を受信するようにしてもよい。
【００５２】
また上述の実施例においては、イヤホンを駆動するオーディオ信号の伝送路を利用してアンテナを構成する場合について述べたが、本発明はこれに限らず、ライン出力等のオーディオ信号の伝送路を利用してアンテナを構成する場合、さらにはオーディオ信号以外の例えばビデオ信号の伝送路を利用してアンテナを構成する場合、信号伝送以外の例えば商用電源、各種直流電源の電力の伝送路を利用してアンテナを構成する場合等に広く適用することができる。
【産業上の利用可能性】
【００５３】
本発明は、例えばディジタルラジオ放送等を受信可能な携帯電話に適用することができる。
【図面の簡単な説明】
【００５４】
【図１】本発明の実施例１の携帯電話を示すブロック図である。
【図２】図１の携帯電話の斜視図である。
【図３】中継ケーブルの断面図である。
【図４】図１の携帯電話におけるアンテナの説明に供する略線図である。
【図５】図１の携帯電話におけるアンテナの特性を示す特性曲線図である。
【図６】図５の特性曲線による垂直偏波の特性を示す図表である。
【図７】図５の特性曲線による水平偏波の特性を示す図表である。
【図８】従来のアンテナの特性を示す特性曲線図である。
【図９】図８の特性曲線による垂直偏波の特性を示す図表である。
【図１０】図８の特性曲線による水平偏波の特性を示す図表である。
【図１１】図１の携帯電話において、イヤホンを取り外した状態におけるアンテナの特性を示す特性曲線図である。
【図１２】図１１の特性曲線による垂直偏波の特性を示す図表である。
【図１３】図１１の特性曲線による水平偏波の特性を示す図表である。
【図１４】本発明の実施例２の携帯電話を示すブロック図である。
【符号の説明】
【００５５】
１、４１……携帯電話、２……中継ケーブル、３……イヤホン、４……本体装置、５、６……プラグ、７、８……ジャック、１３Ｈ、１３Ｌ……チューナ、１１Ｌ、１１Ｒ、２１、２２……高周波遮断回路、２５Ｌ、２５Ｒ……スピーカ、ＬＬ、ＬＲ、ＬＧ……芯線ケーブル、ＳＳ……被覆線
【図１】
2008236113.tif 000003
【図２】
2008236113.tif 000004
【図３】
2008236113.tif 000005
【図４】
2008236113.tif 000006
【図５】
2008236113.tif 000007
【図６】
2008236113.tif 000008
【図７】
2008236113.tif 000009
【図８】
2008236113.tif 000010
【図９】
2008236113.tif 000011
【図１０】
2008236113.tif 000012
【図１１】
2008236113.tif 000013
【図１２】
2008236113.tif 000014
【図１３】
2008236113.tif 000015
【図１４】
2008236113.tif 000016